(57)【要約】【課題】電子機器の操作性を向上することが可能な技術を提供する。【解決手段】電子機器は、当該電子機器の表面に位置する表示面と、制御部と、第１センサとを備える。制御部は、表示面の表示を制御する。第１センサは、電子機器の表面において表示面と異なる位置に存在する検出対象面にさわる指の指紋を検出する。第１センサは、検出対象面に対する、指の当該検出対象面に沿った第１操作を検出する。【選択図】図１
2019062464.tif 000002
【特許請求の範囲】
【請求項１】
電子機器であって、
前記電子機器の表面に位置する表示面と、
前記表示面の表示を制御する制御部と、
前記表面において前記表示面と異なる位置に存在する検出対象面にさわる指の指紋を検出し、当該検出対象面に対する、指の当該検出対象面に沿った第１操作を検出する第１センサと
を備える、電子機器。
【請求項２】
請求項１に記載の電子機器であって、
前記表面は複数の面を有し、
前記表示面及び前記検出対象面は、前記複数の面における同じ面に位置する、電子機器。
【請求項３】
請求項１及び請求項２のいずれか一つに記載の電子機器であって、
前記制御部は、前記第１センサが検出する前記第１操作に応じて、前記表示面の表示を変化させる、電子機器。
【請求項４】
請求項１乃至請求項３のいずれか一つに記載の電子機器であって、
前記制御部は、前記第１センサで検出される指紋である検出指紋に基づいて指紋認証を行う、電子機器。
【請求項５】
請求項４に記載の電子機器であって、
前記制御部は、前記指紋認証に成功したとき前記表示面に第１画面を表示し、前記指紋認証に失敗したとき前記表示面に前記第１画面を表示しない、電子機器。
【請求項６】
請求項５に記載の電子機器であって、
前記制御部は、前記表示面が非表示状態の場合に前記検出指紋に基づいて前記指紋認証を行い、当該指紋認証に成功したとき前記表示面に前記第１画面を表示し、当該指紋認証に失敗したとき前記表示面に前記第１画面を表示しない、電子機器。
【請求項７】
請求項５及び請求項６のいずれか一つに記載の電子機器であって、
前記表示面に対する第２操作を検出する第２センサをさらに備え、
前記第１画面は、アプリケーションプログラムの実行を前記電子機器に指示するための複数の第１アイコンを含み、
前記制御部は、前記表示面に表示される前記複数の第１アイコンのそれぞれについて、前記第２センサが当該第１アイコンに対する前記第２操作を検出すると、当該第１アイコンに対応するアプリケーションプログラムを実行する、電子機器。
【請求項８】
請求項５及び請求項６のいずれか一つに記載の電子機器であって、
前記第１画面は、アプリケーションプログラムの実行を前記電子機器に指示するための複数の第１アイコンを含み、
前記制御部は、前記表示面に前記第１画面が表示されている場合に、前記複数の第１アイコンから、前記第１センサが検出する、前記検出対象面に対する前記第１操作の方向に応じて処理対象の第１アイコンを選択し、選択した当該処理対象の第１アイコンに応じたアプリケーションプログラムを実行する、電子機器。
【請求項９】
請求項８に記載の電子機器であって、
前記制御部は、
前記検出対象面に対して指の第２操作が行われるとき、前記指紋認証を行い、当該指紋認証に成功すると、前記表示面に前記第１画面を表示し、当該指紋認証に失敗すると前記表示面に前記第１画面を表示せず、
前記検出対象面に対して、前記第２の操作とは異なる指の第３操作が行われるとき、前記指紋認証を行い、当該指紋認証に成功すると、前記表示面に前記第１画面とは異なる第２画面を表示し、当該指紋認証に失敗すると前記表示面に前記第２画面を表示しない、電子機器。
【請求項１０】
請求項９に記載の電子機器であって、
前記検出対象面に対する指の押圧力を検出する第２センサをさらに備え、
前記制御部は、前記第２センサで検出される前記押圧力に基づいて、前記検出対象面に対して前記第２及び第３操作が行われたか否かを判定する、電子機器。
【請求項１１】
請求項８乃至請求項１０のいずれか一つに記載の電子機器であって、
前記制御部は、前記指紋認証の成功に応じて前記第１画面が前記表示面に表示されている場合に、前記第１センサが、前記検出対象面に対する前記第１操作を検出せずに、前記検出対象面から指が離れたことを検出すると、前記表示面から前記第１画面を消去する、電子機器。
【請求項１２】
請求項９及び請求項１０のいずれか一つに記載の電子機器であって、
前記制御部は、前記指紋認証の成功に応じて前記第１画面が前記表示面に表示されている場合に、前記第１センサが、前記検出対象面に対する前記第１操作を検出せずに、前記検出対象面から指が離れたことを検出すると、前記表示面から前記第１画面を消去し、前記第２画面を表示する、電子機器。
【請求項１３】
請求項１２に記載の電子機器であって、
前記制御部は、前記指紋認証の成功に応じて前記第１画面を前記表示面に表示する場合には、前記表示面において、半透明の前記第１画面を前記第２画面の上に重ねて表示する、電子機器。
【請求項１４】
請求項１乃至請求項１３のいずれか一つに記載の電子機器であって、
前記制御部は、前記表示面が表示状態である場合に前記第１センサが検出する前記第１操作に応じて、前記表示面を非表示状態に設定する、電子機器。
【請求項１５】
請求項１４に記載の電子機器であって、
前記制御部は、前記第１センサが前記第１操作を検出する場合に検出する指の移動に応じて徐々に現れるように第３画面を前記表示面に表示し、その後、前記表示面を非表示状態に設定する、電子機器。
【請求項１６】
請求項１５に記載の電子機器であって、
前記第３画面は黒画面である、電子機器。
【請求項１７】
請求項１５及び請求項１６のいずれか一つに記載の電子機器であって、
前記第３画面は半透明画面であって、
前記制御部は、前記表示面が第４画面を表示している状態で前記第１センサが前記第１操作を検出する場合に検出する指の移動に応じて前記半透明画面が徐々に現れるように、かつ前記第４画面の上に前記半透明画面が重なるように、前記表示面に前記半透明画面を表示し、その後、前記表示面を非表示状態に設定する、電子機器。
【請求項１８】
請求項１４に記載の電子機器であって、
前記制御部は、前記第１センサが前記第１操作を検出する場合に検出する指の移動に応じて、前記表示面の表示を徐々に消去して前記表示面を非表示状態に設定する、電子機器。
【請求項１９】
請求項１乃至請求項１８のいずれか一つに記載の電子機器であって、
前記制御部は、前記表示面が非表示状態である場合に前記第１センサが検出する前記第１操作に応じて、前記表示面を表示状態に設定する、電子機器。
【請求項２０】
表面に複数の面を有する電子機器であって、
前記複数の面のうちの一の面に位置する表示面と、
前記一の面において前記表示面と異なる位置に存在する検出対象面に対する、当該検出対象面に沿った指の操作を検出するセンサと
を備える、電子機器。
【発明の詳細な説明】
【技術分野】
【０００１】
本開示は、電子機器に関する。
【背景技術】
【０００２】
特許文献１に記載されているように、電子機器に関して様々な技術が提案されている。
【先行技術文献】
【特許文献】
【０００３】
【特許文献１】特表２０１７−５０４８５３号公報
【発明の概要】
【発明が解決しようとする課題】
【０００４】
電子機器については、その操作性の向上が望まれている。
【０００５】
そこで、本発明は上述の点に鑑みて成されたものであり、電子機器の操作性を向上することが可能な技術を提供することを目的とする。
【課題を解決するための手段】
【０００６】
電子機器が開示される。一の実施の形態では、電子機器は、当該電子機器の表面に位置する表示面と、制御部と、第１センサとを備える。制御部は、表示面の表示を制御する。第１センサは、電子機器の表面において表示面と異なる位置に存在する検出対象面にさわる指の指紋を検出する。第１センサは、検出対象面に対する、指の当該検出対象面に沿った第１操作を検出する。
【０００７】
また、一の実施の形態では、電子機器は、表示面及びセンサを備える。表示面は、電子機器の表面に存在する複数の面のうちの一の面に位置する。センサは、表示面が位置する一の面において当該表示面と異なる位置に存在する検出対象面に対する、当該検出対象面に沿った指の操作を検出する。
【発明の効果】
【０００８】
電子機器の操作性が向上する。
【図面の簡単な説明】
【０００９】
【図１】電子機器の外観の一例を示す斜視図である。
【図２】電子機器の外観の一例を示す背面図である。
【図３】電子機器の構成の一例を示すブロック図である。
【図４】電子機器の表示の一例を示す図である。
【図５】電子機器の表示の一例を示す図である。
【図６】電子機器の表示の一例を示す図である。
【図７】電子機器の動作の一例を示すフローチャートである。
【図８】電子機器の動作の一例を示すフローチャートである。
【図９】電子機器に対する操作の一例を示す図である。
【図１０】電子機器の表示の一例を示す図である。
【図１１】電子機器の表示の一例を示す図である。
【図１２】電子機器の表示の一例を示す図である。
【図１３】電子機器の表示の一例を示す図である。
【図１４】電子機器の動作の一例を示すフローチャートである。
【図１５】電子機器の動作の一例を示すフローチャートである。
【図１６】電子機器に対する操作の一例を示す図である。
【図１７】電子機器の動作の一例を示すフローチャートである。
【図１８】電子機器の動作の一例を示すフローチャートである。
【図１９】電子機器の表示の一例を示す図である。
【図２０】電子機器の外観の一例を示す前面図である。
【図２１】電子機器の表示の一例を示す図である。
【図２２】電子機器の表示の一例を示す図である。
【図２３】電子機器の表示の一例を示す図である。
【図２４】電子機器に対する操作の一例を示す図である。
【図２５】電子機器の外観の一例を示す背面図である。
【図２６】電子機器の外観の一例を示す斜視図である。
【図２７】電子機器に対する操作の一例を示す図である。
【図２８】電子機器に対する操作の一例を示す図である。
【図２９】電子機器に対する操作の一例を示す図である。
【図３０】電子機器に対する操作の一例を示す図である。
【図３１】電子機器に対する操作の一例を示す図である。
【図３２】電子機器に対する操作の一例を示す図である。
【図３３】電子機器の表示の一例を示す図である。
【図３４】電子機器の表示の一例を示す図である。
【図３５】電子機器の表示の一例を示す図である。
【図３６】電子機器の表示の一例を示す図である。
【発明を実施するための形態】
【００１０】
＜電子機器の外観の一例＞
図１及び２は電子機器１の外観の一例を示す斜視図及び背面図である。図１及び２に示されるように、電子機器１は、平面視で略長方形の板状の機器ケース１１を備えている。機器ケース１１は電子機器１の外装を構成している。
【００１１】
機器ケース１１の前面１１ａには、言い換えれば電子機器１の前面には、文字、記号及び図形等の各種情報が表示される表示面１２１が位置している。表示面１２１の背面側には後述するタッチパネル１３０が位置している。これにより、ユーザは、電子機器１の前面の表示面１２１を指等で操作することによって、電子機器１に対して各種情報を入力することができる。なお、ユーザは、指以外の操作子、例えば、スタイラスペンなどのタッチパネル用ペンで表示面１２１を操作することによっても、電子機器１に対して各種情報を入力することができる。なお、表示面１２１の位置は図１の例には限られない。
【００１２】
機器ケース１１の前面１１ａの上端部にはレシーバ穴１２が位置している。機器ケース１１の下側の側面１１ｄにはマイク穴１４が位置している。機器ケース１１の前面１１ａの上端部からは、後述する第１カメラ１８０が有するレンズ１８１が視認可能となっている。図２に示されるように、機器ケース１１の背面１１ｂ、言い換えれば電子機器１の背面の上端部からは、後述する第２カメラ１９０が有するレンズ１９１が視認可能となっている。また、機器ケース１１の背面１１ｂにはスピーカ穴１３が位置している。
【００１３】
機器ケース１１の前面１１ａの下端部には、検出対象面１５が位置している。電子機器１は、後述するセンサ２００，２１０によって、検出対象面１５に対する操作等を検出することが可能である。検出対象面１５は検出対象領域１５であるとも言える。なお、検出対象面１５の位置は図１の例に限らない。
【００１４】
電子機器１は、複数の操作ボタンから成る後述の操作ボタン群１４０を有する。各操作ボタンは、例えばハードウェアボタンであって、機器ケース１１の表面に位置する。各操作ボタンは、例えば押しボタンである。操作ボタン群１４０には電源ボタン１４１が含まれる。電源ボタン１４１は、機器ケース１１の右側の側面１１ｃに位置している。本明細書では、右側と言えば、表示面１２１を見た場合の右側を意味する。また、左側と言えば、表示面１２１を見た場合の左側を意味する。操作ボタン群１４０には、電源ボタン１４１以外の操作ボタンが含まれる。例えば、操作ボタン群１４０には、ボリュームボタンが含まれる。
【００１５】
以後、機器ケース１１の前面１１ａ、背面１１ｂ、右側の側面１１ｃ及び下側の側面１１ｄを、それぞれ、電子機器１の前面１１ａ、背面１１ｂ、右側の側面１１ｃ及び下側の側面１１ｄと呼ぶことがある。
【００１６】
＜電子機器の電気的構成の一例＞
図３は電子機器１の電気的構成の一例を主に示すブロック図である。図３に示されるように、電子機器１は、制御部１００、無線通信部１１０、表示部１２０、タッチパネル１３０及び操作ボタン群１４０を備える。さらに電子機器１は、レシーバ１５０、スピーカ１６０、マイク１７０、第１カメラ１８０、第２カメラ１９０、センサ２００，２１０及び電池２２０を備える。電子機器１が備えるこれらの構成要素は、機器ケース１１内に収められている。
【００１７】
制御部１００は、電子機器１の他の構成要素を制御することによって、電子機器１の動作を統括的に管理することが可能である。制御部１００は制御装置あるいは制御回路とも言える。制御部１００は、以下にさらに詳細に述べられるように、種々の機能を実行するための制御及び処理能力を提供するために、少なくとも１つのプロセッサを含む。
【００１８】
種々の実施形態によれば、少なくとも１つのプロセッサは、単一の集積回路（ＩＣ）として、または複数の通信可能に接続された集積回路（ＩＣ）及び／またはディスクリート回路（discrete circuits）として実行されてもよい。少なくとも１つのプロセッサは、種々の既知の技術に従って実行されることが可能である。
【００１９】
１つの実施形態において、プロセッサは、例えば、関連するメモリに記憶された指示を実行することによって１以上のデータ計算手続又は処理を実行するように構成された１以上の回路又はユニットを含む。他の実施形態において、プロセッサは、１以上のデータ計算手続き又は処理を実行するように構成されたファームウェア（例えば、ディスクリートロジックコンポーネント）であってもよい。
【００２０】
種々の実施形態によれば、プロセッサは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、またはこれらのデバイス若しくは構成の任意の組み合わせ、または他の既知のデバイス及び構成の組み合わせを含み、以下に説明される機能を実行してもよい。
【００２１】
本例では、制御部１００は、ＣＰＵ（Central Processing Unit）１０１、ＤＳＰ（Digital Signal Processor）１０２及び記憶部１０３を備える。記憶部１０３は、ＲＯＭ（Read Only Memory）及びＲＡＭ（Random Access Memory）などの、ＣＰＵ１０１及びＤＳＰ１０２が読み取り可能な非一時的な記録媒体を含む。記憶部１０３が有するＲＯＭは、例えば、不揮発性メモリであるフラッシュＲＯＭ（フラッシュメモリ）である。記憶部１０３には、電子機器１を制御するための複数の制御プログラム１０３ａ等が記憶されている。制御部１００の各種機能は、ＣＰＵ１０１及びＤＳＰ１０２が記憶部１０３内の各種制御プログラム１０３ａを実行することによって実現される。
【００２２】
なお制御部１００は、複数のＣＰＵ１０１を備えてもよい。この場合、制御部１００は、比較的複雑な処理を行う、処理能力が高いメインＣＰＵと、比較的簡単な処理を行う、処理能力が低いサブＣＰＵとを備えてもよい。また制御部１００は、ＤＳＰ１０２を備えなくてもよいし、複数のＤＳＰ１０２を備えてもよい。また、制御部１００の全ての機能あるいは制御部１００の一部の機能は、その機能の実現にソフトウェアが不要なハードウェア回路によって実現されてもよい。
【００２３】
記憶部１０３は、ＲＯＭ及びＲＡＭ以外の、コンピュータが読み取り可能な非一時的な記録媒体を備えていてもよい。記憶部１０３は、例えば、小型のハードディスクドライブ及びＳＳＤ（Solid State Drive）などを備えていてもよい。
【００２４】
記憶部１０３内の複数の制御プログラム１０３ａには、様々なアプリケーション（つまり、アプリケーションプログラム）が含まれている。記憶部１０３には、例えば、音声通話及びビデオ通話を行うための通話アプリケーション、ウェブサイトを表示するためのブラウザ、電子メールの作成、閲覧及び送受信を行うためのメールアプリケーションが記憶されている。また記憶部１０３には、第１カメラ１８０及び第２カメラ１９０を利用して被写体を撮影するためのカメラアプリケーション、記憶部１０３に記録されている静止画及び動画を表示するための記録画像表示アプリケーション、記憶部１０３に記憶されている音楽データの再生制御を行うための音楽再生制御アプリケーションなどが記憶されている。記憶部１０３内の少なくとも一つのアプリケーションは、記憶部１０３内にあらかじめ記憶されているものであってよい。また、記憶部１０３内の少なくとも一つのアプリケーションは、電子機器１が他の装置からダウンロードして記憶部１０３内に記憶したものであってよい。
【００２５】
無線通信部１１０は、アンテナ１１１を有している。無線通信部１１０は、アンテナ１１１を用いて、例えば複数種類の通信方式で無線通信することが可能である。無線通信部１１０の無線通信は、制御部１００によって制御される。
【００２６】
無線通信部１１０は、携帯電話システムの基地局と無線通信することが可能である。無線通信部１１０は、当該基地局及びインターネット等のネットワークを通じて、電子機器１とは別の携帯電話機及びウェブサーバ等と通信することが可能である。電子機器１は、他の携帯電話機等と、データ通信、音声通話及びビデオ通話等を行うことが可能である。
【００２７】
また無線通信部１１０、Ｗｉｆｉ等の無線ＬＡＮ（Local Area Network）を用いて無線通信を行うことが可能である。また無線通信部１１０は、近距離無線通信を行うことが可能である。例えば、無線通信部１１０は、Ｂｌｕｅｔｏｏｔｈ（登録商標）に準拠して無線通信することが可能である。無線通信部１１０は、ＺｉｇＢｅｅ（登録商標）及びＮＦＣ（Near Field Communication）の少なくとも一方に準拠して無線通信することが可能であってもよい。
【００２８】
無線通信部１１０は、アンテナ１１１で受信した信号に対して増幅処理等の各種処理を行い、処理後の受信信号を制御部１００に出力する。制御部１００は、入力される受信信号に対して各種処理を行って、当該受信信号に含まれる情報を取得する。また、制御部１００は、情報を含む送信信号を無線通信部１１０に出力する。無線通信部１１０は、入力される送信信号に対して増幅処理等の各種処理を行って、処理後の送信信号をアンテナ１１１から無線送信する。
【００２９】
表示部１２０は、電子機器１の前面１１ａに位置する表示面１２１と、表示パネル１２２と、バックライト１２３とを備えている。表示部１２０は、表示面１２１に各種情報を表示することが可能である。表示パネル１２２は、例えば、液晶表示パネルであって、複数の画素（「画素部」あるいは「画素回路」とも呼ばれる）を備える。表示パネル１２２は、例えば、液晶、ガラス基板及び偏光板等を備える。表示パネル１２２は、機器ケース１１内において、表示面１２１と対向している。表示部１２０に表示される情報は、電子機器１の表面の表示面１２１に表示される。バックライト１２３は、表示パネル１２２の裏側から当該表示パネル１２２に対して光を照射する。バックライト１２３は、例えば、少なくとも一つのＬＥＤ（発光ダイオード）を備える。表示パネル１２２は、制御部１００によって制御されることにより、画素単位で、バックライト１２３からの光の透過量を制御することが可能である。これにより、表示パネル１２２は、各種情報を表示することが可能である。バックライト１２３が点灯しているときに表示パネル１２２の各画素が制御部１００によって制御されることにより、表示部１２０は、文字、記号及び図形などの各種情報を表示することが可能である。制御部１００は、バックライト１２３を制御することが可能である。制御部１００は、例えば、バックライト１２３を点灯させたり、消灯させたりすることが可能である。
【００３０】
なお表示パネル１２２は、液晶表示パネル以外の表示パネルであってもよい。例えば、表示パネル１２２は、有機ＥＬ（Electroluminescence）パネルなどの自発光型の表示パネルであってもよい。この場合には、バックライト１２３は不要になる。
【００３１】
タッチパネル１３０は、表示面１２１に対する指等の操作子による操作を検出することが可能である。タッチパネル１３０は表示面１２１に対する操作を検出するセンサであると言える。タッチパネル１３０は、例えば、投影型静電容量方式のタッチパネルである。タッチパネル１３０は、例えば、表示面１２１の裏側に位置する。ユーザが指等の操作子によって表示面１２１に対して操作を行ったとき、その操作に応じた電気信号をタッチパネル１３０は制御部１００に入力することが可能である。制御部１００は、タッチパネル１３０からの電気信号（出力信号）に基づいて、表示面１２１に対して行われた操作の内容を特定することが可能である。そして制御部１００は、特定した操作内容に応じた処理を行うことが可能である。なお、表示パネル１２２及びタッチパネル１３０の代わりに、タッチパネルが組み込まれたインセル型の表示パネルが採用されてもよい。
【００３２】
操作ボタン群１４０の各操作ボタンは、ユーザによって操作されると、操作されたことを示す操作信号を制御部１００に出力することが可能である。これにより、制御部１００は、各操作ボタンについて、当該操作ボタンが操作されたか否かを判断することができる。操作信号が入力された制御部１００が他の構成要素を制御することによって、電子機器１では、操作された操作ボタンに割り当てられている機能が実行される。
【００３３】
マイク１７０は、電子機器１の外部から入力される音を電気的な音信号に変換して制御部１００に出力することが可能である。電子機器１の外部からの音は、マイク穴１４から電子機器１の内部に取り込まれてマイク１７０に入力される。
【００３４】
スピーカ１６０は、例えばダイナミックスピーカである。スピーカ１６０は、制御部１００からの電気的な音信号を音に変換して出力することが可能である。スピーカ１６０から出力される音は、スピーカ穴１３から外部に出力される。ユーザは、スピーカ穴１３から出力される音を、電子機器１から離れた場所でも聞こえることが可能である。
【００３５】
レシーバ１５０は受話音を出力することが可能である。レシーバ１５０は例えばダイナミックスピーカである。レシーバ１５０は、制御部１００からの電気的な音信号を音に変換して出力することが可能である。レシーバ１５０から出力される音はレシーバ穴１２から外部に出力される。レシーバ穴１２から出力される音の音量は、スピーカ穴１３から出力される音の音量よりも小さくなっている。ユーザは、レシーバ穴１２から出力される音を、当該レシーバ穴１２に耳を近づけることによって聞くことができる。なお、レシーバ１５０の代わりに、機器ケース１１の前面部分を振動させる、圧電振動素子等の振動素子を設けてもよい。この場合には、音は、当該前面部分の振動によりユーザに伝達される。
【００３６】
第１カメラ１８０は、レンズ１８１及びイメージセンサなどを備えている。第２カメラ１９０は、レンズ１９１及びイメージセンサなどを備えている。第１カメラ１８０及び第２カメラ１９０のそれぞれは、制御部１００による制御に基づいて被写体を撮影し、撮影した被写体を示す静止画あるいは動画を生成して制御部１００に出力することが可能である。
【００３７】
第１カメラ１８０のレンズ１８１は、機器ケース１１の前面１１ａから視認可能となっている。したがって、第１カメラ１８０は、電子機器１の前面側（言い換えれば、表示面１２１側）に存在する被写体を撮影することが可能である。第１カメラ１８０はインカメラと呼ばれる。一方で、第２カメラ１９０のレンズ１９１は、機器ケース１１の背面１１ｂから視認可能となっている。したがって、第２カメラ１９０は、電子機器１の背面側に存在する被写体を撮影することが可能である。第２カメラ１９０はアウトカメラと呼ばれる。
【００３８】
センサ２００は、検出対象面１５にさわる指の指紋を検出することが可能である。ここで、検出対象面１５に指がさわることには、検出対象面１５に対して指が軽くくっつくことと、検出対象面１５を指が押すこと（言い換えれば指が押圧すること）の両方を含む。したがって、センサ２００は、指が検出対象面１５に軽くくっついている場合に当該指の指紋を検出することができる。またセンサ２００は、指によって検出対象面１５が押されている場合に当該指の指紋を検出することができる。センサ２００は、検出対象面１５を指が弱く押す場合であっても、指が強く押す場合であっても、当該指の指紋を検出することができる。
【００３９】
またセンサ２００は、検出対象面１５に対する、指等の操作子の当該検出対象面１５に沿った操作を検出することが可能である。例えば、センサ２００は、検出対象面１５に対する、操作子のスライド操作及びフリック操作を検出することが可能である。スライド操作は、指等の操作子が操作対象面にさわった状態で当該操作対象面上を移動する操作である。フリック操作は、操作対象面を指等の操作子で払う操作である。以後、検出対象面１５に対する、操作子の当該検出対象面１５に沿った操作を「移動操作」と呼ぶことがある。
【００４０】
本例では、図１に示されるように、検出対象面１５は、電子機器１の左右方向（言い換えれば短手方向）に沿って細長く延びた形状となっている。そして、センサ２００は、検出対象面１５に対する左右方向の移動操作を検出することが可能である。なお、センサ２００は、左右方向の移動操作だけではなく、それ以外の方向の移動操作を検出できるようにしてもよい。例えば、センサ２００は、検出対象面１５に対する左右方向及び上下方向の移動操作を検出できるようにしてもよい。
【００４１】
センサ２００での指紋検出方式は、例えば、静電容量方式である。指の指紋による凹凸によってセンサ２００と指との間の静電容量が変化することから、センサ２００は、自身と指との間の静電容量を検出することによって、当該指の指紋を検出することができる。また、センサ２００での指紋検出方式が静電容量方式である場合には、センサ２００は、静電容量方式のタッチパネル１３０と同様にして、検出対象面１５に対する移動操作を検出することができる。
【００４２】
なお、センサ２００を、検出対象面１５をさわる指の指紋を検出するセンサと、検出対象面１５に対する移動操作を検出するセンサの２つの別のセンサで構成してもよい。また、センサ２００での指紋検出方式は、静電容量方式以外の方式であってもよい。例えば、センサ２００での指紋検出方式は光学式であってもよい。以後、センサ２００で検出された指紋を「検出指紋」と呼ぶことがある。
【００４３】
センサ２１０は、検出対象面１５に対する指による押圧力を検出することが可能である。センサ２１０は、例えば圧力センサである。またセンサ２１０は、例えば、検出対象面１５をさわる指の振動を検出する圧電センサであってもよい。人の指は、筋肉の働き及び脈によって振動し、その振動の経時変化は特徴的なパターンを示す。そして、指がある面を押す場合、当該指の振動の経時変化の特徴的パターンは、当該指の押圧力に応じて変化する。圧電センサは、検出対象面１５をさわる指の振動の経時変化のパターンを検出することによって、検出対象面１５に対する当該指による押圧力を検出することができる。制御部１００は、圧電センサの検出値に基づいて、検出対象面１５が人の指によりさわられているのか、人の指以外のものによりさわられているのかを特定することができる。
【００４４】
電池２２０は電子機器１の電源を出力することが可能である。電池２２０は例えば充電式の電池である。電池２２０から出力される電源は、電子機器１が備える制御部１００及び無線通信部１１０などの各種構成に対して供給される。
【００４５】
なお電子機器１は、タッチパネル１３０及びセンサ２００，２１０以外のセンサを備えてもよい。例えば、電子機器１は、加速度センサ、気圧センサ、地磁気センサ、温度センサ、近接センサ、照度センサ及びジャイロセンサの少なくとも一つを備えてもよい。
【００４６】
＜電子機器の動作モードの一例＞
電子機器１は多数の動作モードを有している。電子機器１の動作モードには、例えば、通常モード、スリープモード及びシャットダウンモードが含まれる。シャットダウンモードでは、電子機器１がシャットダウンし、電子機器１のほとんどの機能が停止する。スリープモードでは、電子機器１における、表示機能を含む一部の機能が停止する。通常モードは、電子機器１がスリープモード及びシャットダウンモード以外で動作している状態を意味する。制御部１００が、設定すべき動作モードに応じて電子機器１の所定の構成を制御することによって、電子機器１の動作モードが設定される。
【００４７】
スリープモードでは、例えば、表示パネル１２２、バックライト１２３、タッチパネル１３０、第１カメラ１８０及び第２カメラ１９０等を含む電子機器１の一部の構成が動作しない。シャットダウンモードでは、表示パネル１２２、バックライト１２３、タッチパネル１３０、第１カメラ１８０及び第２カメラ１９０等を含む電子機器１のほとんどの構成が動作しない。スリープモードでは、通常モードよりも電子機器１の消費電力が低減する。シャットダウンモードでは、スリープモードよりも電子機器１の消費電力が低減する。
【００４８】
また、スリープモード及びシャットダウンモードでは、表示面１２１は非表示状態となる。ここで、表示状態とは、電子機器１が意図的に表示面１２１に表示を行っている状態を意味する。また非表示状態とは、電子機器１が意図的に表示面１２１に表示を行うことを実行してない状態を意味する。本例では、バックライト１２３が消灯すると、電子機器１は、意図的に表示面１２１に表示を行うことができない。したがって、バックライト１２３が消灯することによって、表示面１２１が非表示状態となる。言い換えれば、バックライト１２３が駆動されていないときに、表示面１２１が非表示状態となる。また、表示パネル１２２が有機ＥＬパネル等の自発光型の表示パネルである場合には、全画素が発光していない場合に表示面１２１が非表示状態となる。つまり、表示パネル１２２の表示領域の全領域が消灯状態の場合に表示面１２１が非表示状態となる。
【００４９】
通常モードにおいて、電源ボタン１４１が長時間押されると、通常モードからシャットダウンモードに遷移させるか否かをユーザに確認するための確認画面が表示面１２１に表示される。表示面１２１に確認画面が表示されている状態において、ユーザが表示面１２１に対して所定の操作を行うと、通常モードからシャットダウンモードに遷移する。
【００５０】
また通常モードにおいて、電子機器１に対して一定時間以上操作が行われなければ、通常モードからスリープモードに遷移する。また、通常モードにおいて、電源ボタン１４１が短時間押されると、通常モードからスリープモードに遷移する。
【００５１】
一方で、スリープモードにおいて、電源ボタン１４１が短時間押されたとき、スリープモードから通常モードに遷移する。つまり、スリープモードにおいて、電源ボタン１４１が短時間押されたとき、電子機器１では、スリープモードに遷移するときに停止された機能が復帰する。本例では、通常モードには、後述するロックモードが含まれている。スリープモードにおいて、電源ボタン１４１が短時間押されたとき、スリープモードからロックモードに遷移する。また、後述するように、スリープモードにおいて、検出対象面１５に対して所定の操作が行われたとき、スリープモードから通常モードに遷移する。
【００５２】
なお、以下に説明する、シャットダウンモード及びスリープモード以外の電子機器１の動作モードは、特に説明しなくても、通常モードに含まれる。また、単に動作モードと言えば、電子機器１の動作モードを意味する。また、押す位置を変化させずに電子機器１の表面を短時間押す操作を、つまり、押す位置を変化させずに電子機器１の表面を第１の所定時間未満押す操作を「短押し操作」と呼ぶ。また、押す位置を変化させずに電子機器１の表面を長時間押す操作を、つまり、押す位置を変化させずに電子機器１の表面を第２の所定時間（≧第１の所定時間）以上押す操作を「長押し操作」と呼ぶことがある。
【００５３】
＜表示領域に表示される画面の一例＞
通常モードにおいては、様々な画面が表示面１２１に表示される。表示面１２１に表示される画面は、表示面１２１に表示される画像であるとも言える。表示面１２１には、例えば、ホーム画面及びロック画面が表示される。図４はロック画面３００の一例を示す図である。図５はホーム画面４００の一例を示す図である。
【００５４】
図４に示されるように、ロック画面３００には、例えば、現在の時刻３０１と、現在の日付３０２と、現在の曜日３０３とが示される。
【００５５】
ここで、通常モードには、記憶部１０３内の複数のアプリケーションのうち、特定のアプリケーション（例えば通話アプリケーション及びカメラアプリケーション）以外のアプリケーションを、ユーザが電子機器１に実行させることができないロックモードが含まれる。ロックモードは、画面ロックモードとも呼ばれる。ロックモードでは、ユーザは、記憶部１０３内の複数のアプリケーションのうち、特定のアプリケーション以外の各アプリケーションについて、当該アプリケーションの実行を電子機器１に指示することができない。ロック画面３００は、電子機器１がロックモードであることを通知する画面であって、動作モードがロックモードのときに表示面１２１に表示される。なお、ロックモードでは、記憶部１０３内のすべてのアプリケーションをユーザが電子機器１に実行させることができなくてもよい。
【００５６】
スリープモードにおいて、電源ボタン１４１が短押し操作されたとき、スリープモードが解除されて、動作モードはロックモードとなる。これにより、表示面１２１にロック画面３００が表示される。表示面１２１がロック画面３００を表示している場合に、ユーザが電子機器１に対して所定の操作を行うと、電子機器１ではロックモードが解除されて、表示面１２１の表示はロック画面３００から他の画面、例えばホーム画面４００（図５参照）に遷移する。以後、通常モードにおいて、ロックモードが解除されている状態を「非ロックモード」と呼ぶことがある。
【００５７】
ホーム画面４００には、図５に示されるように、複数の操作ボタン４０１〜４０３が示される。操作ボタン４０１〜４０３のそれぞれはソフトウェアボタンである。操作ボタン４０１〜４０３は、非ロックモードにおいて、ホーム画面４００以外の画面にも示される。
【００５８】
操作ボタン４０１は例えばバックボタンである。バックボタンは、表示面１２１の表示を一つ前の表示に切り替えるための操作ボタンである。ユーザが操作ボタン４０１に対して所定の操作を行うことよって、表示面１２１の表示が一つ前の表示に切り替わる。例えば、ユーザが操作ボタン４０１に対してタップ操作を行うことよって、表示面１２１の表示が一つ前の表示に切り替わる。タップ操作は、指が操作対象面をさわってから、そのさわった箇所からすぐに離れる操作である。操作ボタン４０２は例えばホームボタンである。ホームボタンは、表示面１２１にホーム画面４００を表示させるための操作ボタンである。ユーザが操作ボタン４０２に対して例えばタップ操作を行うことによって、表示面１２１にホーム画面が表示される。操作ボタン４０３は、例えば履歴ボタンである。履歴ボタンは、電子機器１で実行されたアプリケーションの履歴を表示面１２１に表示させるための操作ボタンである。ユーザが操作ボタン４０３に対して例えばタップ操作を行うことよって、表示面１２１には、電子機器１で実行されたアプリケーションの履歴が表示される。
【００５９】
また、ホーム画面４００には、記憶部１０３内のアプリケーションに対応し、対応するアプリケーションの実行を電子機器１に指示するためのアイコン４０５が示される。図５の例では、ホーム画面４００に１０個のアイコン４０５が示されている。ユーザは、アイコン４０５に対して所定の操作（例えばタップ操作）を行うことによって、当該アイコン４０５を選択することができる。制御部１００は、選択されたアイコン４０５に対応するアプリケーションを記憶部１０３から読み出して実行する。つまり、制御部１００は、タッチパネル１３０がアイコン４０５に対する所定の操作を検出すると、当該アイコン４０５に対応するアプリケーションを記憶部１０３から読み出して実行する。これにより、ユーザは、アイコン４０５を操作することによって当該アイコン４０５を選択し、選択したアイコン４０５に対応するアプリケーションを電子機器１に実行させることができる。例えば、ユーザが、ブラウザに対応するアイコン４０５をタップ操作すると、電子機器１ではブラウザが実行される。またユーザが、カメラアプリケーションに対応するアイコン４０５をタップ操作すると、電子機器１ではカメラアプリケーションが実行される。
【００６０】
ホーム画面４００は、複数のページで構成されている。図５には、ホーム画面４００のあるページが示されている。各ページには、操作ボタン４０１〜４０３とアイコン４０５が示される。ホーム画面４００を構成する複数のページは仮想的に左右方向に並べられている。ユーザが表示面１２１に対して左右方向のフリック操作あるいはスライド操作を行うと、表示面１２１には、隣のページが表示される。図６は、図５に示されるページとは別のページを示す図である。ホーム画面４００の各ページは、表示面１２１に表示される一種の画面であると言える。
【００６１】
＜指紋認証の一例＞
動作モードが通常モードである場合、制御部１００は、センサ２００で検出される指紋に基づいて指紋認証を行うことが可能である。以下に指紋認証の一例について説明する。
【００６２】
制御部１００は、指紋認証を行う際、センサ２００からの出力信号に基づいて、センサ２００で検出された指紋、つまり検出指紋を示す指紋画像を生成する。そして、制御部１００は、生成した指紋画像から、検出指紋の特徴を示す特徴点を抽出する。特徴点としては、例えば、指紋の稜線（凸部）の端点及び分岐点の位置と、当該稜線の太さなどが使用される。そして、制御部１００は、抽出した特徴点と、記憶部１０３に記憶されている基準特徴点とを比較する。基準特徴点は、正規のユーザ（例えば電子機器１の所有者）の指紋を示す指紋画像から抽出された特徴点である。制御部１００は、抽出した特徴点と基準特徴点とを比較した結果、両者が類似する場合には、指紋認証が成功であると判定する。指紋認証はユーザ認証の一種であると考えることができることから、制御部１００は、抽出した特徴点と基準特徴点とが類似する場合には、センサ２００が検出した指紋を有するユーザが正規のユーザであると判定すると言える。一方で、制御部１００は、抽出した特徴点と基準特徴点とが類似しない場合には、指紋認証に失敗したと判定する。つまり、制御部１００は、センサ２００が検出した指紋を有するユーザが非正規のユーザであると判定する。
【００６３】
通常モードには、ユーザの指紋を電子機器１に登録するための指紋登録モードが含まれる。電子機器１は、非ロックモードにおいて、表示面１２１に対して所定の操作が行われると、指紋登録モードで動作する。指紋登録モードにおいて、正規のユーザが自身の手の指（詳細には指の腹）を検出対象面１５の上に置くと、センサ２００は当該指の指紋を検出する。制御部１００は、センサ２００からの出力信号に基づいて、センサ２００で検出された指紋を示す指紋画像を生成する。そして、制御部１００は、生成した指紋画像から特徴点を抽出し、抽出した特徴点を基準特徴点として記憶部１０３に記憶する。これにより、正規のユーザの指紋の特徴を示す基準特徴点が記憶部１０３に記憶される。つまり、正規のユーザの指紋が電子機器１に登録される。
【００６４】
なお記憶部１０３には、複数の基準特徴点が記憶されることもある。この場合には、制御部１００は、抽出した特徴点と、記憶部１０３に記憶されている複数の基準特徴点のそれぞれとを比較する。制御部１００は、複数の基準特徴点の中に、抽出した特徴点と類似するものがある場合には、指紋認証が成功であると判定する。一方で、制御部１００は、複数の基準特徴点の中に、抽出した特徴点と類似するものが無い場合には、指紋認証に失敗したと判定する。
【００６５】
＜検出対象面を利用したスリープモードの解除方法の一例＞
動作モードがスリープモードである場合、ユーザは、検出対象面１５に対して所定の操作を行うことによって、電子機器１にスリープモードを解除させることができる。図７，８は、電子機器１がスリープモードを解除する際の当該電子機器１の動作の一例を示すフローチャートである。
【００６６】
図７に示されるように、制御部１００は、動作モードがスリープモードである場合（ステップｓ１）、ステップｓ２において、センサ２００の出力信号に基づいて、検出対象面１５が指でさわれており、かつ指が検出対象面１５をさわる位置が変化していないと判定すると、ステップｓ３を実行する。これにより、電子機器１を操作する人がその指を検出対象面１５に沿って移動させずに検出対象面１５を当該指でさわっている場合には、ステップｓ３が実行される。図９は、動作モードがスリープモードである場合に、検出対象面１５が指５００でさわれており、かつその指５００が検出対象面１５をさわる位置が変化していない様子を示す図である。図９には、電子機器１を操作する人がその指５００を検出対象面１５に沿って移動しないように当該指５００で検出対象面１５をさわっている様子が示されているとも言える。図９には、一例として、親指で検出対象面１５がさわられている様子が示されている。図９に示される表示面１２１は非表示状態となっている。
【００６７】
ステップｓ３では、制御部１００は、センサ２１０での検出結果に基づいて、検出対象面１５が指で強く押されているか否かを判定する。制御部１００は、センサ２１０で検出される押圧力が第１しきい値よりも大きい場合、検出対象面１５が指で強く押されていると判定する。そして、制御部１００はステップｓ１０を実行する（図８参照）。これにより、指が検出対象面１５に沿って移動しない状態で当該指で検出対象面１５が強く押されている場合にはステップｓ１０が実行される。
【００６８】
一方で、制御部１００は、センサ２１０で検出される押圧力が第１しきい値以下の場合、検出対象面１５が指で強く押されていることは無いと判定する。そして、制御部１００はステップｓ４を実行する。これにより、指が検出対象面１５に沿って移動しない状態で当該指で検出対象面１５が弱く押されている場合には、ステップｓ４が実行される。また、指が検出対象面１５に沿って移動しない状態で当該指が検出対象面１５に軽くくっついている場合には、ステップｓ４が実行される。
【００６９】
なお制御部１００は、センサ２１０で検出される押圧力が第１しきい値以上の場合、検出対象面１５が指で強く押されていると判定し、当該押圧力が第１しきい値未満の場合、検出対象面１５が指で強く押されていることは無いと判定してもよい。
【００７０】
ステップｓ４及びステップｓ１０のそれぞれでは、制御部１００は、上述のようにして、センサ２００で検出される指紋に基づいて指紋認証を行う。ステップｓ４の後、制御部１００は、ステップｓ５において、指紋認証に成功したか否かを判定する。同様に、ステップｓ１０の後、制御部１００は、ステップｓ１１において、指紋認証に成功したか否かを判定する。ステップｓ５において指紋認証に失敗したと判定されると、制御部１００はステップｓ６においてスリープモードを解除しない。同様に、ステップｓ１１において指紋認証に失敗したと判定されると、制御部１００はステップｓ１２においてスリープモードを解除しない。
【００７１】
このように、本例では、指紋認証に失敗した場合には、スリープモードが解除されないことから、表示面１２１は非表示状態が維持される。
【００７２】
一方、ステップｓ５において、指紋認証に成功したと判定されると、制御部１００は、ステップｓ７において、スリープモードを解除して動作モードを非ロックモードに設定する。そして、ステップｓ８において、制御部１００は、図１０に示されるように、表示面１２１にホーム画面４００を表示する。これにより、正規のユーザは、自身の指を検出対象面１５に沿って動かさないように当該指で検出対象面１５を弱く押すことによって、電子機器１にホーム画面４００を表示させることができる。また、正規のユーザは、自身の指を検出対象面１５に沿って動かさないように当該指を検出対象面１５に軽くくっつけることによって、電子機器１にホーム画面４００を表示させることができる。なおステップｓ８においては、スリープモードに設定される直前に表示面１２１に表示されていた画面（以後、「直前表示画面」と呼ぶことがある）が表示面１２１に表示されてもよい。この場合、例えば、スリープモードに設定される直前に、実行中のブラウザの画面が表示面１２１に表示されていた場合には、ステップｓ８において、当該ブラウザの画面が表示される。
【００７３】
またステップｓ１１において、指紋認証に成功したと判定されると、制御部１００は、ステップｓ１３において、スリープモードを解除して動作モードを非ロックモードに設定する。そして、ステップｓ１４において、制御部１００は、電子機器１に実行させるアプリケーションをユーザが選択するための選択画面６００を表示面１２１に表示する。
【００７４】
図１１は選択画面６００の一例を示す図である。図１１に示されるように、選択画面６００には複数のアイコン４０５が示されている。図１１の例では、選択画面６００には、表示面１２１の左右方向に並ぶ２つのアイコン４０５が示されている。ユーザは検出対象面１５に対して指の移動操作を行うことによって、電子機器１に実行させるアプリケーションに対応するアイコン４０５を選択することができる。選択画面６００では、アイコン４０５は円６０１の中に示されている。また選択画面６００には、アイコン４０５に対応し、対応するアイコン４０５が選択されていることを示す図形６０２が示されている。図形６０２は、例えば、長方形の長手方向の一方端を三角山状にした形状を成している。図形６０２は、アイコン４０５及びそれを取り囲む円６０１を取り囲んでいる。左右方向に並ぶ２つのアイコン４０５をそれぞれ取り囲む２つの図形６０２は、それらの長手方向が表示面１２１の左右方向に沿うように、かつそれらの一方端の三角山の頂点が互いに対向するように配置されている。アイコン４０５が選択されると、それを取り囲む図形６０２内の色が変化する。これにより、ユーザは選択したアイコン４０５が正しく選択されていることを認識することができる。
【００７５】
選択画面６００に含まれるアイコン４０５は、ユーザが指定するアイコン４０５であってもよいし、電子機器１が自ら決定するアイコン４０５であってもよい。前者の場合、ユーザは例えば表示面１２１を操作することによって、電子機器１に対して選択画面６００に含めるアイコン４０５を指定することができる。また後者の場合には、例えば、制御部１００は、実行頻度が高いアプリケーションに対応するアイコン４０５を選択画面６００に含める。
【００７６】
また図１１の例では、選択画面６００は、半透明画面であって、ホーム画面４００の上に重ねられている。したがって、ユーザにとっては、選択画面６００の下のホーム画面４００は、選択画面６００を透けて見えるようになっている。なお、選択画面６００は、不透明画面であって、ホーム画面４００の上に重ねられなくてもよい。
【００７７】
ステップｓ１４において選択画面６００が表示されると、ステップｓ１５において、制御部１００は、センサ２００からの出力信号に基づいて、センサ２００が検出する指の操作を特定する。ステップｓ１５において、制御部１００は、センサ２００が検出対象面１５に対する指の移動操作を検出したと判定すると、ステップｓ１７において、センサ２００が検出した指の移動操作の方向に応じて選択画面６００中のアイコン４０５を選択する。そして、ステップｓ１８において、制御部１００は、選択したアイコン４０５に対応するアプリケーションを記憶部１０３から読み出して実行する。その後、表示面１２１には、実行中のアプリケーションに応じた画面が表示される。
【００７８】
本例では、図１２に示されるように、センサ２００が検出する指５００の移動操作の方向が左方向の場合、つまり、指５００が検出対象面１５をさわっている状態で当該指５００が左方向に移動した場合、選択画面６００中の２つのアイコン４０５のうち、左側のアイコン４０５が選択される。その結果、左側のアイコン４０５を取り囲む図形６０２内の色が変化する。図１２では、選択されたアイコン４０５を取り囲む図形６０２内の色が変化した様子が斜線で示されている。この点については後述する図でも同様である。
【００７９】
一方で、図１３に示されるように、センサ２００が検出する指５００の移動操作の方向が右方向の場合、つまり、指５００が検出対象面１５をさわっている状態で当該指５００が右方向に移動した場合、選択画面６００中の２つのアイコン４０５のうち、右側のアイコン４０５が選択される。その結果、右側のアイコン４０５を取り囲む図形６０２内の色が変化する。
【００８０】
本例では、制御部１００は、検出対象面１５に対する指のフリック操作の方向に応じてアイコン４０５を選択することができる。制御部１００は、センサ２００が検出対象面１５に対する指の左方向のフリック操作を検出すると、ステップｓ１７において、選択画面６００中の左側のアイコン４０５を選択し、左側のアイコン４０５を取り囲む図形６０２内の色を変化させる。その後、ステップｓ１８において、制御部１００は、左側のアイコン４０５に対応するアプリケーションを実行する。同様に、制御部１００は、センサ２００が検出対象面１５に対する指の右方向のフリック操作を検出すると、ステップｓ１７において、選択画面６００中の右側のアイコン４０５を選択し、右側のアイコン４０５を取り囲む図形６０２内の色を変化させる。その後、ステップｓ１８において、制御部１００は、右側のアイコン４０５に対応するアプリケーションを実行する。
【００８１】
また制御部１００は、検出対象面１５に対する指のスライド操作の方向に応じてアイコン４０５を選択することができる。制御部１００は、センサ２００が検出対象面１５に対する左方向の指のスライド操作を検出すると、ステップｓ１７において、選択画面６００中の左側のアイコン４０５を選択し、左側のアイコン４０５を取り囲む図形６０２内の色を変化させる。その後、ステップｓ１８において、制御部１００は、センサ２００の出力信号に基づいて、検出対象面１５から指が離れたことを特定すると、左側のアイコン４０５に対応するアプリケーションを実行する。同様に、制御部１００は、センサ２００が検出対象面１５に対する指の右方向のスライド操作を検出すると、ステップｓ１７において、選択画面６００中の右側のアイコン４０５を選択し、右側のアイコン４０５を取り囲む図形６０２内の色を変化させる。その後、ステップｓ１８において、制御部１００は、センサ２００の出力信号に基づいて、検出対象面１５から指が離れたことを特定すると、右側のアイコン４０５に対応するアプリケーションを実行する。
【００８２】
一方で、ステップｓ１５において、制御部１００は、センサ２００が、検出対象面１５に対する指の移動操作を検出せずに、検出対象面１５から指が離れたことを検出したと判定すると、ステップｓ１６において、表示面１２１から選択画面６００を消去して、上述の図１０に示されるようにホーム画面４００を表示する。なおステップｓ１６では、ステップｓ８と同様に、直前表示画面が表示面１２１に表示されてよい。この場合、半透明の選択画面６００は、直前表示画面の上に重ねられて表示される。
【００８３】
このように、本例では、表示面１２１が非表示状態の場合に、検出対象面１５が正規のユーザの指で強く押されると、選択画面６００が表示される。そして、検出対象面１５が正規のユーザの指で強く押された後に当該指が検出対象面１５から離れずに検出対象面１５に対して移動操作が行われると、その指の移動操作の方向に応じて選択画面６００中アイコン４０５が選択される。そして、選択されたアイコン４０５に応じたアプリケーションが実行される。これにより、正規のユーザは、検出対象面１５を自身の指で強く押した後、自身の指を検出対象面１５から一度も離さずに検出対象面１５に沿って移動させることによって、実行するアプリケーションを電子機器１に対して指示することができる。よって、ユーザは、表示面１２１が非表示状態である状態から簡単な操作でアプリケーションの実行を電子機器１に指示することができる。言い換えれば、ユーザは、表示面１２１が非表示状態である状態からすぐにアプリケーションの実行を電子機器１に指示することができる。その結果、電子機器１の操作性が向上する。
【００８４】
また本例では、検出対象面１５が正規のユーザの指で強く押されて選択画面６００が表示された後、検出対象面１５に対して当該指の移動操作が行われることなく、検出対象面１５から当該指が離れると、選択画面６００が消去される。これにより、正規のユーザは、検出対象面１５を自身の指で強く押した後に自身の指を検出対象面１５に沿って移動させずに検出対象面１５から離すことによって、電子機器１に選択画面６００を消去させることができる。よって、ユーザは簡単な操作で選択画面６００の表示を電子機器１に取りやめさせることができる。その結果、電子機器１の操作性が向上する。
【００８５】
また、図１１等に示されるように、ステップｓ１４において、半透明の選択画面６００が、ステップｓ１５で表示される画面（例えばホーム画面４００）の上に重ねられて表示されることによって、選択画面６００の表示が取り消された後に表示される画面を事前にユーザは認識することができる。よって、電子機器１の利便性が向上する。
【００８６】
なお、動作モードがロックモードである場合、検出対象面１５に対して所定の操作が行わると、電子機器１はロックモードを解除して動作モードを非ロックモードに設定してもよい。図１４，１５はこの場合の電子機器１の動作の一例を示すフローチャートである。図１４，１５に示されるフローチャートは、上述の図７，８に示されるフローチャートにおいて、ステップｓ１，ｓ６，ｓ７、ｓ１２，ｓ１３を、ステップｓ２１，ｓ２６，ｓ２７、ｓ３２，ｓ３３にそれぞれ置き換えたものである。
【００８７】
図１４に示されるように、制御部１００は、動作モードがロックモードである場合（ステップｓ２１）、ステップｓ２において、センサ２００の出力信号に基づいて、検出対象面１５が指でさわれており、かつ指が検出対象面１５をさわる位置が変化していないと判定すると、ステップｓ３を実行する。言い換えれば、制御部１００は、表示面１２１にロック画面３００が表示されている場合に、検出対象面１５が指でさわれており、かつ指が検出対象面１５をさわる位置が変化していないと判定すると、ステップｓ３を実行する。図１６は、動作モードがロックモードである場合に、検出対象面１５が指５００でさわれており、かつその指５００が検出対象面１５をさわる位置が変化していない様子を示す図である。
【００８８】
ステップｓ３においてＮｏと判定されると、制御部１００はステップｓ４，ｓ５を実行する。そして、ステップｓ５においてＹｅｓと判定されると、制御部１００は、ステップｓ２７において、ロックモードを解除して動作モードを非ロックモードに設定し、その後ステップｓ８を実行する。これにより、表示面１２１の表示が、ロック画面３００からホーム画面４００に切り替わる（図１０参照）。一方で、ステップｓ５においてＮｏと判定されると、制御部１００は、ステップｓ２６において、ロックモードを解除しない。これにより、表示面１２１ではロック画面３００の表示が維持される。
【００８９】
またステップｓ３においてＹｅｓと判定されると、図１５に示されるように、制御部１００はステップｓ１０，ｓ１１を実行する。ステップｓ１１においてＮｏと判定されると、ステップｓ３２において、制御部１００はロックモードを解除しない。一方で、ステップｓ１１においてＹｅｓと判定されると、制御部１００は、ステップｓ３３において、ロックモードを解除して動作モードを非ロックモードに設定し、その後ステップｓ１４を実行する。これにより、表示面１２１の表示が、ロック画面３００から選択画面６００に切り替わる（図１１参照）。その後、制御部１００はステップｓ１５〜ｓ１７を同様に実行する。
【００９０】
また、指紋認証に失敗した場合には、その旨をユーザに通知するための失敗通知情報が表示面１２１に表示されてもよい。図１７，１８はこの場合の電子機器１の動作の一例を示すフローチャートである。図１７，１８に示されるフローチャートは、図７，８に示されるフローチャートにおいて、ステップｓ６の替わりにステップｓ４１，ｓ４２が実行され、ステップｓ１２の替わりにステップｓ５１，ｓ５２が実行されるものである。
【００９１】
図１７に示されるように、ステップｓ５において指紋認証が失敗したと判定されると、ステップｓ４１，ｓ４２が順に実行される。また図１８に示されるように、ステップｓ１１において指紋認証が失敗したと判定されると、ステップｓ５１，ｓ５２が順に実行される。
【００９２】
ステップｓ４１，ｓ５１のそれぞれでは、制御部１００は、スリープモードを解除して動作モードをロックモードに設定する。これにより、表示面１２１にはロック画面３００が表示される。ステップｓ４２，ｓ５２のそれぞれでは、制御部１００は、表示面１２１に、指紋認証が失敗したことをユーザに通知するための失敗通知情報を表示する。図１９は失敗通知情報７００の表示例を示す図である。図１９に示されるように、失敗通知情報７００は、例えばロック画面３００に示される。
【００９３】
ステップｓ４２，ｓ５２の後、ユーザが検出対象面１５から一度指を離した後、再度指で検出対象面１５をさわると、現在の動作モードがロックモードであるため、上述の図１４，１５に示される一連の処理が実行される。
【００９４】
このように、図１７，１８の例では、指紋認証が失敗した場合には失敗通知情報が表示されることから、ユーザは指紋認証が失敗したことを容易に知ることができる。よって、電子機器１の利便性が向上する。
【００９５】
なお、図１４，１５に示されるフローチャートにおいて、ステップｓ２６の後に失敗通知情報７００がロック画面３００に示されてもよい。また、ステップｓ３２の後に失敗通知情報７００がロック画面３００に示されてもよい。
【００９６】
また制御部１００は、上述のステップｓ２，ｓ３の替わりに、センサ２００が、検出対象面１５に対する指の短押し操作を検出したか否かと、センサ２００が、検出対象面１５に対する指の長押し操作を検出したか否かを判定してもよい。この場合、制御部１００は、センサ２００が検出対象面１５に対する指の短押し操作を検出すると、ステップｓ４を実行する。一方で、制御部１００は、センサ２００が検出対象面１５に対する指の長押し操作を検出すると、ステップｓ１０を実行する。これより、正規のユーザは、自身の指で検出対象面１５に対して短押し操作を行うことによって、電子機器１にホーム画面４００等を表示させることができる。また、正規のユーザは、自身の指で検出対象面１５に対して長押し操作を行うことによって、電子機器１に選択画面６００を表示させることができる。
【００９７】
また上記の例では、センサ２００は左右方向の移動操作を検出しているが、左右方向とは別の方向の移動操作を検出してもよい。図２０は、センサ２００が左右方向及び上下方向の移動操作を検出することができる場合の電子機器１の外観の一例を示す前面図である。
【００９８】
図２０の例では、検出対象面１５の形状が楕円形となっている。図２０に示される検出対象面１５の上下方向の幅は、図１等に示される検出対象面１５の上下方向の幅よりも大きくなっている。ユーザは、検出対象面１５に対して、上方向の移動操作、下方向の移動操作、右方向の移動操作及び左方向の移動操作を行うことが可能である。センサ２００は、検出対象面１５に対する上方向の移動操作、下方向の移動操作、右方向の移動操作及び左方向の移動操作を検出することが可能である。なお、検出対象面１５の形状は図２０及び図１等に示される形状に限られない。
【００９９】
また上記の例では、選択画面６００には２つのアイコン４０５が含まれているが、３つ以上のアイコン４０５が含まれてもよい。図２１は、４つのアイコン４０５を含む選択画面６００の一例を示す図である。図２１の例では、検出対象面１５の形状が図２０の例と同様の形状となっている。また図２１の例では、センサ２００は、検出対象面１５に対する上方向の移動操作、下方向の移動操作、右方向の移動操作及び左方向の移動操作を検出することが可能である。
【０１００】
図２１に示される選択画面６００では、４つのアイコン４０５が、表示面１２１の中心の周囲に配置されている。４つのアイコン４０５のうち、２つのアイコンは上下方向に並んでおり、残りの２つのアイコンは左右方向に並んでいる。各アイコン４０５は円６０１の中に示されている。また、アイコン４０５と、それを取り囲む円６０１とが、図形６０２で取り囲まれている。左右方向に並ぶ２つのアイコン４０５をそれぞれ取り囲む２つの図形６０２は、それらの長手方向が表示面１２１の左右方向に沿うように、かつそれらの一方端の三角山の頂点が互いに対向するように配置されている。また、上下方向に並ぶ２つのアイコン４０５をそれぞれ取り囲む２つの図形６０２は、それらの長手方向が表示面１２１の上下方向に沿うように、かつそれらの一方端の三角山の頂点が互いに対向するように配置されている。上記と同様に、アイコン４０５が選択されると、それを取り囲む図形６０２内の色が変化する。これにより、ユーザは選択したアイコン４０５が正しく選択されていることを認識することができる。
【０１０１】
図２１に示される選択画面６００が表示される場合、制御部１００は、上述のステップｓ１７において、センサ２００が検出する指の移動操作の方向が上方向の場合、選択画面６００中の上下方向に並ぶ２つのアイコン４０５のうち、上側のアイコン４０５を選択する。図２２は上側のアイコン４０５が選択されている様子の一例を示す図である。
【０１０２】
また制御部１００は、ステップｓ１７において、センサ２００が検出する指の移動操作の方向が下方向の場合、選択画面６００中の上下方向に並ぶ２つのアイコン４０５のうち、下側のアイコン４０５を選択する。図２３は下側のアイコン４０５が選択されている様子の一例を示す図である。
【０１０３】
なお、センサ２００が検出する指の移動操作の方向が左方向の場合の制御部１００の動作は上記と同様である。また、センサ２００が検出する指の移動操作の方向が右方向の場合の制御部１００の動作は上記と同様である。また、制御部１００が、選択したアイコン４０５に応じたアプリケーションを実行する際の当該制御部１００の動作は上記と同様である。
【０１０４】
また制御部１００は、動作モードが非ロックモードである場合に、センサ２００が検出する検出対象面１５に対する指の移動操作に応じて、表示面１２１の表示を変化させてもよい。
【０１０５】
例えば、制御部１００は、表示面１２１にホーム画面４００が表示されている場合に、センサ２００が検出対象面１５に対する指の移動操作を検出すると、現在表示されているページとは別のページを表示面１２１に表示してもよい。例えば、図２４に示されるように、ユーザが左右方向に指５００の移動操作を検出対象面１５に対して行うと、センサ２００が検出対象面１５に対する左右方向の指５００の移動操作を検出し、制御部１００は、現在表示されているページの隣のページ（例えば図６に示されるページ）を表示する。この場合、制御部１００は、センサ２００が検出対象面１５に対する左方向の指５００の移動操作を検出すると、現在表示されているページの右隣りのページを表示する。一方で、制御部１００は、センサ２００が検出対象面１５に対する右方向の指５００の移動操作を検出すると、現在表示されているページの左隣りのページを表示する。
【０１０６】
このように、図２４の例では、ユーザは検出対象面１５に対して指の移動操作を行うことによって、電子機器１に表示させるホーム画面４００のページを変化させることができる。したがって、正規のユーザは、動作モードがスリープモードあるいはロックモードである場合に、検出対象面１５を指でさわって電子機器１にホーム画面４００を表示させた後、検出対象面１５から指を離すことなく検出対象面１５に対して指の移動操作を行うことによって、電子機器１に表示させるページを変化させることができる。よって、電子機器１の操作性が向上する。
【０１０７】
なお制御部１００は、表示面１２１にホーム画面４００以外の画面が表示されている場合に、検出対象面１５に対して指の移動操作が行なれると、現在表示されている画面以外の画面を表示面１２１に表示してもよい。例えば、制御部１００は、第１カメラ１８０等で撮影された撮影画像を含む画面が表示されている場合に、センサ２００が検出対象面１５に対する指の移動操作を検出すると、現在表示されている撮影画像とは別の撮影画像を含む画面を表示面１２１に表示してもよい。
【０１０８】
また制御部１００は、表示面１２１に対するフリック操作あるいはスライド操作に応じて表示面１２１に表示される画面をスクロールする場合と同様に、検出対象面１５に対する指の移動操作に応じて表示面１２１に表示される画面をスクロールしてもよい。
【０１０９】
上記の例では、検出対象面１５は、表示面１２１が存在する面と同じ面に位置しているが、表示面１２１が存在する面とは別に面に位置してもよい。例えば、検出対象面１５は、図２５に示されるように、機器ケース１１の背面１１ｂに位置してもよい。また検出対象面１５は、機器ケース１１の側面に位置してもよい。具体的には、検出対象面１５は、機器ケース１１の上側の側面に位置してもよいし、下側の側面１１ｄに位置してもよいし、右側の側面１１ｃに位置してもよいし、左側の側面に位置してもよい。図２６は、検出対象面１５が機器ケース１１の右側の側面１１ｃに位置する様子を示す図である。
【０１１０】
また制御部１００は、動作モードが通常モードである場合、センサ２００が検出する検出対象面１５に対する指の移動操作に応じて、動作モードをスリープモードに変化させてもよい。
【０１１１】
例えば、動作モードが通常モードである場合、左右方向において検出対象面１５を端から端まで指が移動するような検出対象面１５に対する指のスライド操作をセンサ２００が検出すると、制御部１００は動作モードをスリープモードに設定して、表示面１２１を非表示状態にする。具体的には、図２７に示されるように、ユーザの指が検出対象面１５をさわっている状態で当該指が検出対象面１５の右端から左端まで移動したことをセンサ２００が検出すると、図２８に示されるように、制御部１００は動作モードをスリープモードに設定して、表示面１２１を非表示状態にする。また、図２９に示されるように、ユーザの指が検出対象面１５をさわっている状態で当該指が検出対象面１５の左端から右端まで移動したことをセンサ２００が検出すると、図３０に示されるように、制御部１００は動作モードをスリープモードに設定して、表示面１２１を非表示状態にする。以後、検出対象面１５の端と言えば、特に断らない限り、検出対象面１５の左右方向の端を意味する。
【０１１２】
なお、ユーザが、指で検出対象面１５をさわった状態で検出対象面１５の一方端から当該指の移動を開始し、検出対象面１５の他方端に当該指が達するまでに当該指を検出対象面１５から離した場合には、制御部１００は通常モードを維持する。
【０１１３】
また、動作モードが通常モードである場合、ユーザが、検出対象面１５の端から検出対象面１５に対して指でフリック操作を行った場合に、制御部１００は、動作モードをスリープモードに変更してもよい。例えば、検出対象面１５の右端を始点としてその左端に向かう指のフリック操作をセンサ２００が検出すると、制御部１００は動作モードを通常モードからスリープモードに変化させる。また、検出対象面１５の左端を始点としてその右端に向かう指のフリック操作をセンサ２００が検出すると、制御部１００は動作モードを通常モードからスリープモードに変化させる。
【０１１４】
このように、ユーザは、検出対象面１５に対して指の移動操作を行うことによって、電子機器１に表示面１２１を非表示状態にさせることができることから、ユーザは電子機器１に対する簡単な操作で、電子機器１に表示面１２１を非表示状態にさせることができる。よって、電子機器１の操作性が向上する。なお、センサ２００が、検出対象面１５に対する指の左右方向以外の方向の移動操作を検出する場合には、電子機器１は、当該移動操作に応じて、表示面１２１を非表示状態にしてもよい。例えば、電子機器１は、検出対象面１５に対する指の上下方向の移動に応じて、表示面１２１を非表示状態にしてもよい。
【０１１５】
以後、ユーザの指が検出対象面１５をさわっている状態で当該指が左右方向において検出対象面１５の端から端まで移動する操作を「端から端までの指のスライド操作」と呼ぶことがある。また、ユーザの指が検出対象面１５をさわっている状態で該指が検出対象面１５の左端から右端まで移動する操作を「端から端までの左方向の指のスライド操作」と呼ぶことがある。また、ユーザの指が検出対象面１５をさわっている状態で当該指が検出対象面１５の右端から左端まで移動する操作を「端から端までの右方向の指のスライド操作」と呼ぶことがある。また、検出対象面１５の一方端を始点としてその他方端に向かう指のフリック操作を「端からの指のフリック操作」と呼ぶことがある。また、検出対象面１５の右端を始点としてその左端に向かう指のフリック操作を「端からの左方向の指のフリック操作」と呼ぶことがある。また、検出対象面１５の左端を始点としてその右端に向かう指のフリック操作を「端からの右方向の指のフリック操作」と呼ぶことがある。また、端から端までの指のスライド操作と、端からの指のフリック操作をまとめて「端からの指の移動操作」と呼ぶことがある。
【０１１６】
なお、図２７〜３０の例では、表示面１２１にホーム画面４００が表示されていたが、表示面１２１にホーム画面以外の画面が表示されている場合であっても、ユーザは、検出対象面１５に対して端から端までの指のスライド操作あるいは端からの指のフリック操作を行うことによって、電子機器１に動作モードをスリープモードに設定させることができる。例えば、表示面１２１にロック画面３００が表示されている場合、ユーザは、検出対象面１５に対して端から端までの指のスライド操作あるいは端からの指のフリック操作を行うことによって、電子機器１に動作モードをスリープモードに設定させることができる。
【０１１７】
また制御部１００は、動作モードがスリープモードである場合、検出対象面１５に対する端からの指の移動操作をセンサ２００が検出すると、制御部１００は動作モードを通常モードに設定して、表示面１２１を表示状態にしてもよい。
【０１１８】
例えば、動作モードがスリープモードである場合、制御部１００は、図３１に示されるように、端から端までの左方向の指のスライド操作をセンサ２００が検出した場合、図３２に示されるように、動作モードを通常モードに設定して表示面１２１を表示状態にする。また制御部１００は、動作モードがスリープモードである場合、端から端までの右方向の指のスライド操作をセンサ２００が検出した場合、動作モードを通常モードに設定して表示面１２１を表示状態にする。動作モードがスリープモードである場合、ユーザが、指で検出対象面１５をさわった状態で検出対象面１５の一方端から当該指の移動を開始し、検出対象面１５の他方端に当該指が達するまでに当該指を検出対象面１５から離した場合には、制御部１００はスリープモードを維持する。つまり、動作モードがスリープモードである場合、ユーザが、検出対象面１５に対する端から端までの指のスライド操作を途中で止めて検出対象面１５から指を離した場合、制御部１００はスリープモードを維持する。
【０１１９】
また制御部１００は、動作モードがスリープモードである場合、端からの左方向の指のフリック操作をセンサ２００が検出すると、動作モードを通常モードに設定する。また制御部１００は、動作モードがスリープモードである場合、端からの右方向の指のフリック操作をセンサ２００が検出すると、動作モードを通常モードに設定する。なお、センサ２００が、検出対象面１５に対する指の左右方向以外の方向の移動操作を検出する場合には、電子機器１は、当該移動操作に応じて、動作モードをスリープモードから通常モードに変更してもよい。例えば、電子機器１は、検出対象面１５に対する指の上下方向の移動に応じて、動作モードをスリープモードから通常モードに変更してもよい。
【０１２０】
また制御部１００は、検出対象面１５に対する端からの指の移動操作をセンサ２００が検出した場合に、動作モードをスリープモードから通常モードに変更する場合には、当該移動操作の途中で指紋認証を行ってもよい。
【０１２１】
例えば、ユーザが端から端までの指のスライド操作を行う場合、制御部１００は、ユーザの指が検出対象面１５をさわっている状態で当該指が検出対象面１５の一方端から他方端への移動を開始すると、センサ２００で検出される指紋に基づいて指紋認証を行う。あるいは、制御部１００は、ユーザの指が検出対象面１５にさわった時点で、センサ２００で検出される指紋に基づいて指紋認証を行ってもよい。制御部１００は、指紋認証に成功し、かつ指が検出対象面１５の一方端から他方端まで移動すると、動作モードをスリープモードから通常モードに変更する。一方で、制御部１００は、指紋認証に失敗すると、指が検出対象面１５の一方端から他方端まで移動したとしても、スリープモードを維持する。
【０１２２】
また、ユーザが端からの指のフリック操作を行う場合、制御部１００は、ユーザの指が検出対象面１５にさわった時点で、センサ２００で検出される指紋に基づいて指紋認証を行う。制御部１００は、指紋認証に成功し、検出対象面１５に対して端からの指のフリック操作が行われると、動作モードをスリープモードから通常モードに変更する。一方で、制御部１００は、指紋認証に失敗すると、検出対象面１５に対して端からの指のフリック操作が行われたとしても、スリープモードを維持する。
【０１２３】
また制御部１００は、検出対象面１５に対する端からの指の移動操作をセンサ２００が検出した場合に、動作モードを通常モードからスリープモードに変更する場合には、センサ２００が当該移動操作を検出する場合に検出する指の移動に応じて徐々に表れるように所定の画面を表示面１２１に表示し、その後、動作モードをスリープモードに設定してもよい。以後、当該所定の画面を「特定画面」と呼ぶ。
【０１２４】
図３３，３４は、センサ２００が端から端までの指のスライド操作を検出する場合に検出する指５００の移動に応じて徐々に表れるように特定画面８００が表示面１２１に表示される様子の一例を示す図である。図３３，３４の例では、特定画面８００は不透明な黒画面である。特定画面８００は黒画面以外であってもよい。図３３，３４には、表示面１２１にホーム画面４００が表示されている場合に検出対象面１５に対して端から端までの左方向の指のスライド操作が行われる場合の例が示されている図３３には、指５００が検出対象面１５の左右方向の中央部まで移動した場合の特定画面８００が示されている。図３４には、指５００が検出対象面１５の左端付近まで移動した場合の特定画面８００が示されている。表示面１２１に特定画面８００の全体が表示されると、表示されている特定画面８００の大きさは、例えば表示面１２１の大きさと同じになる。
【０１２５】
検出対象面１５に対する端から端までの指５００のスライド操作が開始すると、検出対象面１５において指５００の移動が開始した端と同じ側の表示面１２１の端から特定画面８００が現れるようになる。図３３，３４の例では、指５００の移動が検出対象面１５の右端から開始することから、表示面１２１の右端１２１ａから特定画面８００が現れる。そして、端から端までの指５００のスライド操作が完了するまでの指５００の移動に応じて、特定画面８００が徐々に表示面１２１に現れる。例えば、図３３，３４に示されるように、端から端までの指５００のスライド操作が完了するまでの指５００の左方向の移動に応じて、表示面１２１において特定画面８００の左端８０１が徐々に左方向に移動するように、特定画面８００が徐々に表示面１２１に現れる。例えば、指５００が、検出対象面１５の左右方向の長さのＸ％（０≦Ｘ≦１００）分だけ検出対象面１５の右端から左に移動すると、特定画面８００の左端８０１は、表示面１２１の左右方向の長さのＸ％分だけ右端１２１ａから左に移動する。特定画面８００の左端８０１が表示面１２１の左端１２１ｂに達すると、つまり特定画面８００の全体が表示面１２１に表示されると、動作モードがスリープモードに設定される。これにより、バックライト１２３が消灯し、表示面１２１が非表示状態となる。特定画面８００は、それが表示される直前に表示面１２１に表示されていた画面の上に重ねられて表示される。図３３，３４の例では、特定画面８００はホーム画面４００の上に重ねられている。
【０１２６】
同様に、検出対象面１５に対する端から端までの右方向の指５００のスライド操作が開始すると、表示面１２１の左端１２１ｂから特定画面８００が現れる。そして、端から端までの右方向の指５００のスライド操作が完了するまでの指５００の右方向の移動に応じて、表示面１２１において特定画面８００の右端が徐々に右方向に移動するように、特定画面８００が徐々に表示面１２１に現れる。特定画面８００の右端が表示面１２１の右端１２１ａに達すると、動作モードがスリープモードに設定される。
【０１２７】
なお、ユーザが、検出対象面１５に対する端から端までの指のスライド操作を途中で止めて検出対象面１５から指を離した場合、制御部１００は通常モードを維持して、特定画面８００の表示を消去する。これにより、特定画面８００の下の画面（図３３，３４の例ではホーム画面４００）の全体が表示されるようになる。
【０１２８】
また、検出対象面１５に対して端からの指のフリック操作が行われる場合には、上記と同様に、検出対象面１５において指の移動が開始した端と同じ側の表示面１２１の端から特定画面８００が現れるようになる。そして、検出対象面１５上での指の移動に応じて、特定画面８００が徐々に表示面１２１に現れる。例えば、検出対象面１５に対して端からの左方向の指のフリック操作が行われる場合には、表示面１２１の右端１２１ａから現れた特定画面８００は、その左端８０１が、当該フリック操作の速さに応じた速さで表示面１２１の左端１２１ｂへ移動するように、徐々に表示面１２１に現れる。具体的には、フリック操作の速さが大きいほど、特定画面８００の左端８０１が表示面１２１の左端１２１ｂへ向かう速さが大きくなる。同様に、検出対象面１５に対して端からの右方向の指のフリック操作が行われる場合には、表示面１２１の左端１２１ｂから現れた特定画面８００は、その右端が、当該フリック操作の速さに応じた速さで表示面１２１の右端１２１ａへ移動するように、徐々に表示面１２１に現れる。
【０１２９】
このように、センサ２００が端からの指の移動操作を検出する場合に検出する指の移動に応じて徐々に表れるように特定画面が表示されることによって、ユーザは、検出対象面１５に対する自身の操作が電子機器１が受け付けられていることを認識しやすくなる。よって、ユーザは誤操作に気付きやすくなり、電子機器１の利便性が向上する。特に特定画面が黒画面である場合には、ユーザは、電子機器１に対して表示面１２１を非表示状態にすることを指示するための操作を行っていることを認識しやすくなる。なお、センサ２００が、検出対象面１５に対する指の左右方向以外の方向の移動操作を検出する場合には、検出対象面１５に対して指の左右方向以外の方向の移動操作が行われるときの当該指の移動に応じて徐々に表れるように特定画面が表示されてもよい。例えば、検出対象面１５に対する指の上下方向の移動に応じて徐々に表れるように特定画面が表示されてもよい。
【０１３０】
制御部１００は、図３５に示されるように、特定画面８００として半透明画面を使用してもよい。特定画面８００を半透明にすることによって、特定画面８００の下の画面、つまり特定画面８００が表示される直前に表示されていた画面の全体をユーザは視認することができる。図３５の例では、半透明の黒画面が特定画面８００として表示されている。
【０１３１】
特定画面８００が半透明画面である場合には、特定画面８００の透明度を特定画面８００内で変化させてもよい。例えば、検出対象面１５に対して、端からの左方向の指の移動操作が行われる場合には、特定画面８００の左端８０１から表示面１２１の右端１２１ａに向かうほど特定画面８００の透明度を小さくしてもよい。また、検出対象面１５に対して、端からの右方向の指の移動操作が行われる場合には、特定画面８００の右端から表示面１２１の左端１２１ｂに向かうほど特定画面８００の透明度を小さくしてもよい。
【０１３２】
また制御部１００は、動作モードがスリープモードである場合に検出対象面１５に対して端からの右方向の指の移動操作が行われるときには、動作モードが通常モードである場合に検出対象面１５に対して端からの左方向の指の移動操作が行われるときの表示面１２１の表示とは逆のような表示を表示面１２１に行ってもよい。具体的には、制御部１００は、検出対象面１５の左端が指でさわれたことをセンサ２００が検出すると、動作モードをスリープモードから通常モードに暫定的に変化させる。そして、制御部１００は、表示面１２１に特定画面８００の全体を表示する。このとき、制御部１００は、動作モードをスリープモードに設定する直前に表示されていた直前表示画面の上に特定画面８００を重ねて表示する。特定画面８００が不透明な画面である場合には、その下の画面はユーザに視認されない。特定画面８００が黒画面のときには、特定画面８００が表示されたとしても、表示面１２１の見た目はほとんど変化がない。そして、検出対象面１５上での指の右端への移動が開始したことをセンサ２００が検出すると、制御部１００は、図３６に示されるように、特定画面８００の左端８０１を、表示面１２１の左端１２１ｂから右端１２１ａに向けて、センサ２００で検出される指５００の右方向の移動に応じて徐々に移動させる。これにより、特定画面８００がその右端から徐々に表示面１２１から消えるようになる。センサ２００で検出される指５００の右方向の移動に応じて特定画面８００の左端８０１が移動する様子は、動作モードを通常モードからスリープモードに変更する場合において、センサ２００で検出される指５００の右方向の移動に応じて特定画面８００の右端が移動する様子と同様である。表示面１２１において、特定画面８００が表示されていない領域には、特定画面８００の下の画面、つまり、動作モードがスリープモードに設定される直前に表示されていた直前表示画面（図３６の例ではホーム画面４００）の一部が表示される。特定画面８００の左端８０１が表示面１２１の右端１２１ａに到達し、特定画面８００が消去されると、制御部１００は。動作モードを通常モードに確定する。これにより、表示面１２１には直前表示画面（図３６の例ではホーム画面４００）の全領域が表示される。
【０１３３】
同様にして、制御部１００は、動作モードがスリープモードである場合に検出対象面１５に対して端から左方向の指の移動操作が行われるときには、動作モードが通常モードである場合に検出対象面１５に対して端から右方向の指の移動操作が行われるときの表示面１２１の表示とは逆のような表示を表示面１２１に行ってもよい。電子機器１は、検出対象面１５に対して指の左右方向以外の方向の移動操作が行われる場合にも、同様にして、表示面１２１の表示を変化させてもよい。
【０１３４】
なお、検出対象面１５に対して端から端までの指のスライド操作が行われる場合、当該スライド操作が途中で止められて指が検出対象面１５から離れると、制御部１００は、暫定的に設定した通常モードを解除して、動作モードをスリープモードに戻す。
【０１３５】
また、動作モードがスリープモードである場合に検出対象面１５に対して端からの指の移動操作が行われるときに表示される特定画面８００は、不透明画面であってもよいし、半透明画面であってもよい。特定画面８００が半透明画面である場合には、特定画面８００の透明度を特定画面８００内で変化させてもよい。
【０１３６】
また、表示パネル１２２が、有機ＥＬパネル等の自発光型の表示パネルである場合には、制御部１００は、動作モードが通常モードのときに、センサ２００が端からの指の移動操作を検出する際に検出する指５００の移動に応じて、表示面１２１の表示を徐々に消去して表示面１２１を非表示状態に設定してもよい。
【０１３７】
例えば、検出対象面１５に対する端からの指の移動操作が開始すると、制御部１００は、検出対象面１５において指５００の移動が開始した端と同じ側の表示面１２１の一方端から他方端に向けて、指５００の移動に応じて順に表示を消灯していく。例えば、検出対象面１５に対する端からの左方向の指の移動操作が開始すると、制御部１００は、表示面１２１の右端１２１ａから左端１２１ｂに向けて、指の左方向の移動に応じて表示を順に消灯していく。例えば、ユーザが端から端までの左方向の指のスライド操作を行う場合、当該指が、検出対象面１５の左右方向の長さのＸ％分だけ検出対象面１５の右端から左に移動すると、表示面１２１の表示は、右端１２１ａから、表示面１２１の左右方向の長さのＸ％分の長さの分だけ消灯する。この場合には、表示面１２１の見た目は、黒画面を特定画面８００として図３３，３４のように表示する場合と同様になる。また、ユーザが端からの左方向の指のフリック操作を行う場合、当該フリック操作の速さに応じた速さで、表示面１２１の表示を右端１２１ａから左端１２１ｂに向けて順次消していく。表示面１２１の表示がすべて消灯すると、動作モードがスリープモードに設定される。同様にして、検出対象面１５に対する端からの右方向の指の移動操作が開始すると、制御部１００は、表示面１２１の左端１２１ｂから右端１２１ａに向けて、指５００の右方向の移動に応じて表示を順に消灯していく。
【０１３８】
このように、動作モードが通常モードのときに、センサ２００が端からの指の移動操作を検出する際に検出する指の移動に応じて、表示面１２１の表示を徐々に消去して表示面１２１を非表示状態に設定する場合であっても、ユーザは、電子機器１に対して表示面１２１を非表示状態にすることを指示するための操作を行っていることを認識しやすくなる。よって、電子機器１の利便性が向上する。なお電子機器１は、検出対象面１５に対して指の左右方向以外の方向の移動操作が行われる場合にも、同様に、指の移動に応じて、表示面１２１の表示を徐々に消去して表示面１２１を非表示状態に設定してもよい。以後、動作モードが通常モードのときに、検出対象面１５に対して端からの指の移動操作が行われる際の当該指の移動に応じて、表示面１２１の表示が徐々に消去される処理を「段階的消去処理」と呼ぶことがある。
【０１３９】
また、表示パネル１２２として自発光型の表示パネルを備える電子機器１の制御部１００は、動作モードがスリープモードである場合に検出対象面１５に対して端からの右方向の指の移動操作が行われるときには、動作モードが通常モードである場合に検出対象面１５に対して端からの左方向の指の移動操作が行われるときの段階的消去処理とは逆のような表示を表示面１２１に行ってもよい。この場合、制御部１００は、検出対象面１５に対する端からの右方向の指の移動操作が開始すると、動作モードをスリープモードから通常モードに暫定的に変化させる。そして、制御部１００は、指の右方向の移動に応じて、表示面１２１の表示を左端１２１ｂから右端１２１ａに向けて徐々に点灯して、直前表示画面を左端から順に表示する。このときの表示面１２１の見た目は、上述の図３６の例と同様となる。制御部１００は、表示面１２１のすべてを点灯すると、動作モードを通常モードに確定する。これにより、表示面１２１には直前表示画面の全領域が表示される。同様にして、制御部１００は、動作モードがスリープモードである場合に検出対象面１５に対して端からの左方向の指の移動操作が行われるときには、動作モードが通常モードである場合に検出対象面１５に対して端からの右方向の指の移動操作が行われるときの段階的消去処理とは逆のような表示を表示面１２１に行ってもよい。電子機器１は、検出対象面１５に対して指の左右方向以外の方向の移動操作が行われる場合にも、同様にして、表示面１２１の表示を制御してもよい。
【０１４０】
なお、検出対象面１５に対して端から端までの指のスライド操作が行われる場合、当該スライド操作が途中で止められて指が検出対象面１５から離れると、制御部１００は、暫定的に設定した通常モードを解除して、動作モードをスリープモードに戻し、表示面１２１の表示をすべて消灯する。
【０１４１】
以上のように、電子機器１は、検出対象面１５に対する、指の検出対象面１５に沿った操作を検出するセンサ２００を備えていることから、ユーザは検出対象面１５を操作することによって電子機器１に対する入力を行うことがでる。よって、電子機器１の操作性が向上する。
【０１４２】
また、センサ２００は、検出対象面１５にさわる指の指紋を検出し、検出対象面１５に対する、指の検出対象面１５に沿った操作を検出することができる。これにより、電子機器１は、その表面に位置する同じ領域を使用して、指紋の検出と、操作の検出とを行うことができる。よって、電子機器１の表面を有効利用することができる。
【０１４３】
また、図１等に示されるように、電子機器１が備える複数の面のうち、表示面１２１が位置する面（図１等の例では前面）と同じ面に検出対象面１５が位置する場合には、検出対象面１５に対する操作性が向上する。例えば、表示面１２１が上になるように電子機器１が机の上に置かれている状態でユーザが検出対象面１５を操作する場合、検出対象面１５も上を向いていることから、ユーザは検出対象面１５を操作しやすくなる。また、電子機器１に対して、表示面１２１を露出するようなカバーが取り付けられている場合であっても、検出対象面１５は表示面１２１と同じ面に位置することから、ユーザは検出対象面１５を操作しやすくなる。また、本例のように、電子機器１が表示面１２１に対する操作を検出する場合には、表示面１２１と検出対象面１５とが同じ面に位置することから、ユーザは、表示面１２１を操作と検出対象面１５の操作とを切り替えやすくなる。また、ユーザが、両手で電子機器１を持った状態で両手で電子機器１の前面を操作する場合、表示面１２１及び検出対象面１５がともに電子機器１の前面に位置することから、ユーザは、表示面１２１及び検出対象面１５の両方を操作しやすくなる。例えば、ユーザは、一方の手で表示面１２１を操作した後、すぐに他方の手で検出対象面１５を操作することができる。またユーザは、一方の手で検出対象面１５を操作した後、すぐに他方の手で表示面１２１を操作することができる。
【０１４４】
上記の例では、電子機器１は、スマートフォン等の携帯電話機であったが、他の種類の電子機器であってよい。電子機器１は、例えば、タブレット端末、パーソナルコンピュータ、ウェアラブル機器などであってよい。電子機器１として採用されるウェアラブル機器は、リストバンド型あるいは腕時計型などの腕に装着するタイプであってもよいし、ヘッドバンド型あるいはメガネ型などの頭に装着するタイプであってもよいし、服型などの体に装着するタイプであってもよい。
【０１４５】
また上述のように、電子機器１は、センサ２１０の出力信号に基づいて、検出対象面１５が人の指以外のものによりさわられていることを特定することができる場合には、センサ２００が検出した操作が、人の指以外のものによって検出対象面１５がさわれる操作であることを特定したときには、センサ２００が検出した操作に対応する制御の一部、あるいは当該制御の全部を実行しなくてもよい。センサ２００が検出する操作には、検出対象面１５が押される操作、検出対象面１５に対するスライド操作及び検出対象面１５に対するフリック操作等が含まれる。
【０１４６】
以上のように、電子機器１は詳細に説明されたが、上記した説明は、全ての局面において例示であって、この開示がそれに限定されるものではない。また、上述した各種の例は、相互に矛盾しない限り組み合わせて適用可能である。そして、例示されていない無数の例が、この開示の範囲から外れることなく想定され得るものと解される。
【符号の説明】
【０１４７】
１  電子機器
１５  検出対象面
１００  制御部
１２１  表示面
１３０  タッチパネル
２００，２１０  センサ
【図１】
2019062464.tif 000003
【図２】
2019062464.tif 000004
【図３】
2019062464.tif 000005
【図４】
2019062464.tif 000006
【図５】
2019062464.tif 000007
【図６】
2019062464.tif 000008
【図７】
2019062464.tif 000009
【図８】
2019062464.tif 000010
【図９】
2019062464.tif 000011
【図１０】
2019062464.tif 000012
【図１１】
2019062464.tif 000013
【図１２】
2019062464.tif 000014
【図１３】
2019062464.tif 000015
【図１４】
2019062464.tif 000016
【図１５】
2019062464.tif 000017
【図１６】
2019062464.tif 000018
【図１７】
2019062464.tif 000019
【図１８】
2019062464.tif 000020
【図１９】
2019062464.tif 000021
【図２０】
2019062464.tif 000022
【図２１】
2019062464.tif 000023
【図２２】
2019062464.tif 000024
【図２３】
2019062464.tif 000025
【図２４】
2019062464.tif 000026
【図２５】
2019062464.tif 000027
【図２６】
2019062464.tif 000028
【図２７】
2019062464.tif 000029
【図２８】
2019062464.tif 000030
【図２９】
2019062464.tif 000031
【図３０】
2019062464.tif 000032
【図３１】
2019062464.tif 000033
【図３２】
2019062464.tif 000034
【図３３】
2019062464.tif 000035
【図３４】
2019062464.tif 000036
【図３５】
2019062464.tif 000037
【図３６】
2019062464.tif 000038